(57)【特許請求の範囲】
【請求項１】
画像形成装置と、前記画像形成装置とネットワークを介して接続され、前記画像形成装置に提供する広告データを管理する広告管理サーバと、コードデータを読み取る読取装置とを備える広告管理システムであって、
前記広告管理サーバは、
ユーザに対する特典を含む広告データを記憶する広告データ記憶部と、
前記ユーザを識別するユーザ識別情報に対応付けて、前記ユーザに関するユーザデータを記憶するユーザデータ記憶部と、
前記画像形成装置から、当該画像形成装置を利用する利用ユーザを識別するユーザ識別情報を受信する受信部と、
前記ユーザデータ記憶部において、前記受信部が受信した前記利用ユーザの前記ユーザ識別情報に対応付けられている、前記利用ユーザの前記ユーザデータに基づいて、前記広告データ記憶部に記憶されている前記広告データの中から、前記利用ユーザに提供すべき前記広告データを特定する広告データ特定部と、
前記広告データ特定部により特定された前記広告データに含まれる特典を識別する特典識別情報と、前記ユーザ識別情報とを含むコードデータを作成するコードデータ作成部と、
前記広告データ特定部により特定された前記広告データと、前記コードデータ作成部により作成された前記コードデータとを合成し、広告印刷データを作成する広告印刷データ作成部と、
前記広告印刷データを前記画像形成装置に送信する送信部と
を有し、
前記画像形成装置は、
前記広告印刷データを前記広告管理サーバから受信する受信部と、
前記広告印刷データに基づいて、前記広告データおよび前記コードデータが示される広告画像を形成する画像形成部と
を有し、
前記読取装置は、
前記コードデータを読み取る読取部と、
前記コードデータが示す内容を含むコード内容データを利用履歴として前記広告管理サーバに送信する送信部と
を有し、
前記広告管理サーバの前記受信部は、前記利用履歴をさらに受信し、
前記広告管理サーバは、
前記受信部が受信した前記利用履歴を前記ユーザ識別情報に対応付けて利用履歴記憶部に書き込む利用履歴管理部をさらに備え、
前記広告データ記憶部は、前記広告データに対応付けて、前記広告主を識別する広告主識別情報を記憶し、かつ同一の前記広告主識別情報に対応付けて前記特典の異なる複数の前記広告データを記憶し、
前記広告データ特定部は、前記利用履歴に基づいて、所定の特典を含む前記広告データを特定し、
前記広告管理サーバの送信部は、前記利用履歴に応じて前記特典の優待度を高くすることの提案を示す提案情報を前記広告主に送信し、
前記広告管理サーバは、前記広告管理サーバの前記受信部が前記広告主から前記提案に対する了承を示す了承情報を受信した場合に、前記提案にかかる前記特典を含む前記広告データを前記広告データ記憶部に登録する広告データ管理部をさらに有することを特徴とする広告管理システム。
【請求項２】
前記広告管理サーバの前記広告データ特定部は、さらに前記利用履歴記憶部を参照し、前記ユーザ識別情報に対応付けられている前記利用履歴に基づいて、前記広告データを特定することを特徴とする請求項１に記載の広告管理システム。
【請求項３】
前記コードデータ作成部は、さらに前記受信部が前記ユーザ識別情報を受信した受信日時を含む前記コードデータを作成することを特徴とする請求項１に記載の広告管理システム。
【請求項４】
前記広告データ記憶部は、前記広告データに対応付けて、前記特典を受けることが可能な期限をさらに記憶し、
前記コードデータ作成部は、さらに前記期限を含む前記コードデータを作成することを特徴とする請求項１に記載の広告管理システム。 
【請求項５】
画像形成装置およびコードデータを読み取る読取装置とネットワークを介して接続され、前記画像形成装置に提供する広告データを管理する広告管理サーバであって、
前記ユーザが所定の店舗で受けることのできる特典を含む広告データを記憶する広告データ記憶部と、
前記ユーザを識別するユーザ識別情報に対応付けて、前記ユーザに関するユーザデータを記憶するユーザデータ記憶部と、
前記画像形成装置から、当該画像形成装置を利用する利用ユーザを識別するユーザ識別情報を受信する受信部と、
前記ユーザデータ記憶部において、前記受信部が受信した前記利用ユーザの前記ユーザ識別情報に対応付けられている、前記利用ユーザの前記ユーザデータに基づいて、前記広告データ記憶部に記憶されている前記広告データの中から、前記利用ユーザに提供すべき前記広告データを特定する広告データ特定部と、
前記広告データ特定部により特定された前記広告データに含まれる特典を識別する特典識別情報と、前記ユーザ識別情報とを含むコードデータを作成するコードデータ作成部と、
前記広告データ特定部により特定された前記広告データと、前記コードデータ作成部により作成された前記コードデータとを合成し、広告印刷データを作成する広告印刷データ作成部と、
前記広告印刷データを前記画像形成装置に送信する送信部と、
前記受信手段が、前記読取装置において読み取られた、前記広告印刷データ中の前記コードデータが示す内容を含むコード内容データを利用履歴として、前記読取装置から受信した場合に、前記利用履歴を前記ユーザ識別情報に対応付けて利用履歴記憶部に書き込む利用履歴管理部と
を備え、
前記広告データ記憶部は、前記広告データに対応付けて、前記広告主を識別する広告主識別情報を記憶し、かつ同一の前記広告主識別情報に対応付けて前記特典の異なる複数の前記広告データを記憶し、
前記広告データ特定部は、前記利用履歴に基づいて、所定の特典を含む前記広告データを特定し、
前記送信部は、前記利用履歴に応じて前記特典の優待度を高くすることの提案を示す提案情報を前記広告主に送信し、
前記広告管理サーバは、前記広告管理サーバの前記受信部が前記広告主から前記提案に対する了承を示す了承情報を受信した場合に、前記提案にかかる前記特典を含む前記広告データを前記広告データ記憶部に登録する広告データ管理部をさらに有することを特徴とする広告管理サーバ。
【請求項６】
画像形成装置と、前記画像形成装置とネットワークを介して接続され、前記画像形成装置に提供する広告データを管理する広告管理サーバと、コードデータを読み取る読み取り装置とを備える広告管理システムで実行される広告管理方法であって、
前記広告管理サーバは、
前記ユーザに対する特典を含む広告データを記憶する広告データ記憶部と、
前記ユーザを識別するユーザ識別情報に対応付けて、前記ユーザに関するユーザデータを記憶するユーザデータ記憶部と
を備え、
前記広告管理サーバが、前記画像形成装置から、当該画像形成装置を利用する利用ユーザを識別するユーザ識別情報を受信する第１受信ステップと、
前記広告管理サーバが、前記ユーザデータ記憶部において、前記第１受信ステップにおいて受信した前記利用ユーザの前記ユーザ識別情報に対応付けられている、前記利用ユーザの前記ユーザデータに基づいて、前記広告データ記憶部に記憶されている前記広告データの中から、前記利用ユーザに提供すべき前記広告データを特定する広告データ特定ステップと、
前記広告管理サーバが、前記広告データ特定ステップにおいて特定された前記広告データに含まれる特典を識別する特典識別情報と、前記ユーザ識別情報とを含むコードデータを作成するコードデータ作成ステップと、
前記広告管理サーバが、前記広告データ特定ステップにおいて特定された前記広告データと、前記コードデータ作成部により作成された前記コードデータとを合成し、広告印刷データを作成する広告印刷データ作成ステップと、
前記広告管理サーバが、前記広告印刷データを前記画像形成装置に送信する送信ステップと、
前記画像形成装置が、前記広告印刷データを前記広告管理サーバから受信する受信ステップと、
前記画像形成装置が、前記広告印刷データに基づいて、前記広告データおよび前記コードデータが示される広告画像を形成する画像形成ステップと、
前記読取装置が、前記コードデータを読み取る読取ステップと、
前記読取装置が、前記コードデータが示す内容を含むコード内容データを利用履歴として前記広告管理サーバに送信する送信ステップと、
前記広告管理サーバが、前記利用履歴を受信する第２受信ステップと、
前記広告管理サーバが、前記第２受信ステップにおいて受信した前記利用履歴を前記ユーザ識別情報に対応付けて、前記広告管理サーバが備える利用履歴記憶部に書き込む利用履歴管理ステップと
を含み、
前記広告データ記憶部は、前記広告データに対応付けて、前記広告主を識別する広告主識別情報を記憶し、かつ同一の前記広告主識別情報に対応付けて前記特典の異なる複数の前記広告データを記憶し、
前記広告データ特定ステップは、前記利用履歴に基づいて、所定の特典を含む前記広告データを特定し、
前記送信ステップは、前記利用履歴に応じて前記特典の優待度を高くすることの提案を示す提案情報を前記広告主に送信し、
前記広告管理サーバは、前記広告管理サーバの前記受信ステップが前記広告主から前記提案に対する了承を示す了承情報を受信した場合に、前記提案にかかる前記特典を含む前記広告データを前記広告データ記憶部に登録する広告データ管理ステップをさらに含むことを特徴とする広告管理方法。
【請求項７】
画像形成装置とネットワークを介して接続され、前記画像形成装置に提供する広告データを管理する広告管理サーバで実行される広告管理方法であって、
前記広告管理サーバは、
前記ユーザが所定の店舗で受けることのできる特典を含む広告データを記憶する広告データ記憶部と、
前記ユーザを識別するユーザ識別情報に対応付けて、前記ユーザに関するユーザデータを記憶するユーザデータ記憶部と
を備え、
前記画像形成装置から、当該画像形成装置を利用する利用ユーザを識別するユーザ識別情報を受信する第１受信ステップと、
前記ユーザデータ記憶部において、前記第１受信ステップにおいて受信した前記利用ユーザの前記ユーザ識別情報に対応付けられている、前記利用ユーザの前記ユーザデータに基づいて、前記広告データ記憶部に記憶されている前記広告データの中から、前記利用ユーザに提供すべき前記広告データを特定する広告データ特定ステップと、
前記広告データ特定ステップにおいて特定された前記広告データに含まれる特典を識別する特典識別情報と、前記ユーザ識別情報とを含むコードデータを作成するコードデータ作成ステップと、
前記広告データ特定ステップにおいて特定された前記広告データと、前記コードデータ作成ステップにおいて作成された前記コードデータとを合成し、広告印刷データを作成する広告印刷データ作成ステップと、
前記広告印刷データを前記画像形成装置に送信する送信ステップと、
前記読取装置において読み取られた、前記広告印刷データ中の前記コードデータが示す内容を含むコード内容データを、利用履歴として前記読取装置から受信する第２受信ステップと、
前記利用履歴を前記ユーザ識別情報に対応付けて利用履歴記憶部に書き込む利用履歴管理ステップと
を含み、
前記広告データ記憶部は、前記広告データに対応付けて、前記広告主を識別する広告主識別情報を記憶し、かつ同一の前記広告主識別情報に対応付けて前記特典の異なる複数の前記広告データを記憶し、
前記広告データ特定ステップは、前記利用履歴に基づいて、所定の特典を含む前記広告データを特定し、
前記送信ステップは、前記利用履歴に応じて前記特典の優待度を高くすることの提案を示す提案情報を前記広告主に送信し、
前記広告管理サーバは、前記広告管理サーバの前記第１受信ステップが前記広告主から前記提案に対する了承を示す了承情報を受信した場合に、前記提案にかかる前記特典を含む前記広告データを前記広告データ記憶部に登録する広告データ管理ステップをさらに含むことを特徴とする広告管理方法。
【請求項８】
画像形成装置とネットワークを介して接続され、前記画像形成装置に提供する広告データを管理するコンピュータであって、
前記ユーザが所定の店舗で受けることのできる特典を含む広告データを記憶する広告データ記憶部と、
前記ユーザを識別するユーザ識別情報に対応付けて、前記ユーザに関するユーザデータを記憶するユーザデータ記憶部と
を備える前記コンピュータを、
前記画像形成装置から、当該画像形成装置を利用する利用ユーザを識別するユーザ識別情報を受信する受信部と、
前記ユーザデータ記憶部において、前記受信部が受信した前記利用ユーザの前記ユーザ識別情報に対応付けられている、前記利用ユーザの前記ユーザデータに基づいて、前記広告データ記憶部に記憶されている前記広告データの中から、前記利用ユーザに提供すべき前記広告データを特定する広告データ特定部と、
前記広告データ特定部により特定された前記広告データに含まれる特典を識別する特典識別情報と、前記ユーザ識別情報とを含むコードデータを作成するコードデータ作成部と、
前記広告データ特定部により特定された前記広告データと、前記コードデータ作成部により作成された前記コードデータとを合成し、広告印刷データを作成する広告印刷データ作成部と、
前記広告印刷データを前記画像形成装置に送信する送信部と、
前記受信手段が、前記読取装置において読み取られた、前記広告印刷データ中の前記コードデータが示す内容を含むコード内容データを、利用履歴として前記読取装置から受信した場合に、前記利用履歴を前記ユーザ識別情報に対応付けて利用履歴記憶部に書き込む利用履歴管理部と
して機能させ、
前記広告データ記憶部に、前記広告データに対応付けて、前記広告主を識別する広告主識別情報を記憶し、かつ同一の前記広告主識別情報に対応付けて前記特典の異なる複数の前記広告データを記憶し、
前記広告データ特定部は、前記利用履歴に基づいて、所定の特典を含む前記広告データを特定し、
前記送信部は、前記利用履歴に応じて前記特典の優待度を高くすることの提案を示す提案情報を前記広告主に送信し、
前記受信部が前記広告主から前記提案に対する了承を示す了承情報を受信した場合に、前記提案にかかる前記特典を含む前記広告データを前記広告データ記憶部に登録する広告データ管理部をさらに機能させるためのプログラム。
【発明の詳細な説明】
【技術分野】
【０００１】
本発明は、広告管理システム、広告管理サーバ、広告管理方法およびプログラムに関する。
【背景技術】
【０００２】
従来、広告配信サーバ等の配信元が、ユーザのモバイル機器上に搭載されているＧＰＳ（Ｇｌｏｂａｌ  Ｐｏｓｉｔｉｏｎｉｎｇ  Ｓｙｓｔｅｍ）を用いてユーザの現在位置を特定し、特定した現在位置に基づいて、ユーザが興味を持ちそうなコマーシャルを特定し、モバイル機器へ送信する技術が知られている。この技術によれば、配信元は、ユーザの現在位置に適したコマーシャルをユーザに提供することができる。
【０００３】
さらに、例えばコマーシャル主の店舗における優待サービスのクーポンなどが付加されたコマーシャルも提供されている。この場合には、モバイル機器の無線機能などを用いて、クーポンの利用状況をコマーシャルの配信元にフィードバックすることも可能である。これにより、配信元では、クーポンの利用の有無、利用時間などの情報を集計し、より有効なコマーシャルをユーザに提供することが可能となる（例えば、特許文献１、２参照）。
【発明の概要】
【発明が解決しようとする課題】
【０００４】
モバイル機器を用いたクーポン利用に関しては、上述のように、無線通信を利用したフィードバックの仕組みを容易に構築することが可能である。
【０００５】
しかしながら、例えば店舗に設置されたプリンタでプリントされた用紙に付加する形式で、紙に印字されたクーポンをユーザに配布するサービスも存在する。このように、クーポンが紙媒体のように有体物である場合には、その利用状況をフィードバックする仕組みを構築するのが困難である。例えば、クーポンとしての用紙に名前や住所などの記入欄を設け、これらの情報の記載を促すこととも考えられる。しかしながら、名前等の記載は面倒であり、名前等の情報は未記入である場合が多い。このため、ユーザによる紙媒体等のクーポンの利用状況をコマーシャルの配信元にフィードバックし、配信元において、より有効なコマーシャルをユーザに提供する仕組みを構築するのが難しいという問題があった。
【０００６】
本発明は、上記に鑑みてなされたものであって、より有効な情報をユーザに提供することができる広告管理システム、広告管理サーバ、広告管理方法およびプログラムを提供することを目的とする。
【課題を解決するための手段】
【０００７】
上述した課題を解決し、目的を達成するために、本発明は、画像形成装置と、前記画像形成装置とネットワークを介して接続され、前記画像形成装置に提供する広告データを管理する広告管理サーバと、コードデータを読み取る読取装置とを備える広告管理システムであって、前記広告管理サーバは、ユーザに対する特典を含む広告データを記憶する広告データ記憶部と、前記ユーザを識別するユーザ識別情報に対応付けて、前記ユーザに関するユーザデータを記憶するユーザデータ記憶部と、前記画像形成装置から、当該画像形成装置を利用する利用ユーザを識別するユーザ識別情報を受信する受信部と、前記ユーザデータ記憶部において、前記受信部が受信した前記利用ユーザの前記ユーザ識別情報に対応付けられている、前記利用ユーザの前記ユーザデータに基づいて、前記広告データ記憶部に記憶されている前記広告データの中から、前記利用ユーザに提供すべき前記広告データを特定する広告データ特定部と、前記広告データ特定部により特定された前記広告データに含まれる特典を識別する特典識別情報と、前記ユーザ識別情報とを含むコードデータを作成するコードデータ作成部と、前記広告データ特定部により特定された前記広告データと、前記コードデータ作成部により作成された前記コードデータとを合成し、広告印刷データを作成する広告印刷データ作成部と、前記広告印刷データを前記画像形成装置に送信する送信部とを有し、前記画像形成装置は、前記広告印刷データを前記広告管理サーバから受信する受信部と、前記広告印刷データに基づいて、前記広告データおよび前記コードデータが示される広告画像を形成する画像形成部とを有し、前記読取装置は、前記コードデータを読み取る読取部と、前記コードデータが示す内容を含むコード内容データを利用履歴として前記広告管理サーバに送信する送信部とを有し、前記広告管理サーバの前記受信部は、前記利用履歴をさらに受信し、前記広告管理サーバは、前記受信部が受信した前記利用履歴を前記ユーザ識別情報に対応付けて利用履歴記憶部に書き込む利用履歴管理部をさらに備え、前記広告データ記憶部は、前記広告データに対応付けて、前記広告主を識別する広告主識別情報を記憶し、かつ同一の前記広告主識別情報に対応付けて前記特典の異なる複数の前記広告データを記憶し、前記広告データ特定部は、前記利用履歴に基づいて、所定の特典を含む前記広告データを特定し、前記広告管理サーバの送信部は、前記利用履歴に応じて前記特典の優待度を高くすることの提案を示す提案情報を前記広告主に送信し、前記広告管理サーバは、前記広告管理サーバの前記受信部が前記広告主から前記提案に対する了承を示す了承情報を受信した場合に、前記提案にかかる前記特典を含む前記広告データを前記広告データ記憶部に登録する広告データ管理部をさらに有することを特徴とする。
【０００９】
また、本発明は、画像形成装置およびコードデータを読み取る読取装置とネットワークを介して接続され、前記画像形成装置に提供する広告データを管理する広告管理サーバであって、前記ユーザが所定の店舗で受けることのできる特典を含む広告データを記憶する広告データ記憶部と、前記ユーザを識別するユーザ識別情報に対応付けて、前記ユーザに関するユーザデータを記憶するユーザデータ記憶部と、前記画像形成装置から、当該画像形成装置を利用する利用ユーザを識別するユーザ識別情報を受信する受信部と、前記ユーザデータ記憶部において、前記受信部が受信した前記利用ユーザの前記ユーザ識別情報に対応付けられている、前記利用ユーザの前記ユーザデータに基づいて、前記広告データ記憶部に記憶されている前記広告データの中から、前記利用ユーザに提供すべき前記広告データを特定する広告データ特定部と、前記広告データ特定部により特定された前記広告データに含まれる特典を識別する特典識別情報と、前記ユーザ識別情報とを含むコードデータを作成するコードデータ作成部と、前記広告データ特定部により特定された前記広告データと、前記コードデータ作成部により作成された前記コードデータとを合成し、広告印刷データを作成する広告印刷データ作成部と、前記広告印刷データを前記画像形成装置に送信する送信部と、前記受信手段が、前記読取装置において読み取られた、前記広告印刷データ中の前記コードデータが示す内容を含むコード内容データを利用履歴として、前記読取装置から受信した場合に、前記利用履歴を前記ユーザ識別情報に対応付けて利用履歴記憶部に書き込む利用履歴管理部とを備え、前記広告データ記憶部は、前記広告データに対応付けて、前記広告主を識別する広告主識別情報を記憶し、かつ同一の前記広告主識別情報に対応付けて前記特典の異なる複数の前記広告データを記憶し、前記広告データ特定部は、前記利用履歴に基づいて、所定の特典を含む前記広告データを特定し、前記送信部は、前記利用履歴に応じて前記特典の優待度を高くすることの提案を示す提案情報を前記広告主に送信し、前記広告管理サーバは、前記広告管理サーバの前記受信部が前記広告主から前記提案に対する了承を示す了承情報を受信した場合に、前記提案にかかる前記特典を含む前記広告データを前記広告データ記憶部に登録する広告データ管理部をさらに有することを特徴とする。
【００１０】
また、本発明は、画像形成装置と、前記画像形成装置とネットワークを介して接続され、前記画像形成装置に提供する広告データを管理する広告管理サーバと、コードデータを読み取る読み取り装置とを備える広告管理システムで実行される広告管理方法であって、前記広告管理サーバは、前記ユーザに対する特典を含む広告データを記憶する広告データ記憶部と、前記ユーザを識別するユーザ識別情報に対応付けて、前記ユーザに関するユーザデータを記憶するユーザデータ記憶部とを備え、前記広告管理サーバが、前記画像形成装置から、当該画像形成装置を利用する利用ユーザを識別するユーザ識別情報を受信する第１受信ステップと、前記広告管理サーバが、前記ユーザデータ記憶部において、前記第１受信ステップにおいて受信した前記利用ユーザの前記ユーザ識別情報に対応付けられている、前記利用ユーザの前記ユーザデータに基づいて、前記広告データ記憶部に記憶されている前記広告データの中から、前記利用ユーザに提供すべき前記広告データを特定する広告データ特定ステップと、前記広告管理サーバが、前記広告データ特定ステップにおいて特定された前記広告データに含まれる特典を識別する特典識別情報と、前記ユーザ識別情報とを含むコードデータを作成するコードデータ作成ステップと、前記広告管理サーバが、前記広告データ特定ステップにおいて特定された前記広告データと、前記コードデータ作成部により作成された前記コードデータとを合成し、広告印刷データを作成する広告印刷データ作成ステップと、前記広告管理サーバが、前記広告印刷データを前記画像形成装置に送信する送信ステップと、前記画像形成装置が、前記広告印刷データを前記広告管理サーバから受信する受信ステップと、前記画像形成装置が、前記広告印刷データに基づいて、前記広告データおよび前記コードデータが示される広告画像を形成する画像形成ステップと、前記読取装置が、前記コードデータを読み取る読取ステップと、前記読取装置が、前記コードデータが示す内容を含むコード内容データを利用履歴として前記広告管理サーバに送信する送信ステップと、前記広告管理サーバが、前記利用履歴を受信する第２受信ステップと、前記広告管理サーバが、前記第２受信ステップにおいて受信した前記利用履歴を前記ユーザ識別情報に対応付けて、前記広告管理サーバが備える利用履歴記憶部に書き込む利用履歴管理ステップとを含み、前記広告データ記憶部は、前記広告データに対応付けて、前記広告主を識別する広告主識別情報を記憶し、かつ同一の前記広告主識別情報に対応付けて前記特典の異なる複数の前記広告データを記憶し、前記広告データ特定ステップは、前記利用履歴に基づいて、所定の特典を含む前記広告データを特定し、前記送信ステップは、前記利用履歴に応じて前記特典の優待度を高くすることの提案を示す提案情報を前記広告主に送信し、前記広告管理サーバは、前記広告管理サーバの前記受信ステップが前記広告主から前記提案に対する了承を示す了承情報を受信した場合に、前記提案にかかる前記特典を含む前記広告データを前記広告データ記憶部に登録する広告データ管理ステップをさらに含むことを特徴とする。
【００１２】
また、本発明は、画像形成装置とネットワークを介して接続され、前記画像形成装置に提供する広告データを管理する広告管理サーバで実行される広告管理方法であって、前記広告管理サーバは、前記ユーザが所定の店舗で受けることのできる特典を含む広告データを記憶する広告データ記憶部と、前記ユーザを識別するユーザ識別情報に対応付けて、前記ユーザに関するユーザデータを記憶するユーザデータ記憶部とを備え、前記画像形成装置から、当該画像形成装置を利用する利用ユーザを識別するユーザ識別情報を受信する第１受信ステップと、前記ユーザデータ記憶部において、前記第１受信ステップにおいて受信した前記利用ユーザの前記ユーザ識別情報に対応付けられている、前記利用ユーザの前記ユーザデータに基づいて、前記広告データ記憶部に記憶されている前記広告データの中から、前記利用ユーザに提供すべき前記広告データを特定する広告データ特定ステップと、前記広告データ特定ステップにおいて特定された前記広告データに含まれる特典を識別する特典識別情報と、前記ユーザ識別情報とを含むコードデータを作成するコードデータ作成ステップと、前記広告データ特定ステップにおいて特定された前記広告データと、前記コードデータ作成ステップにおいて作成された前記コードデータとを合成し、広告印刷データを作成する広告印刷データ作成ステップと、前記広告印刷データを前記画像形成装置に送信する送信ステップと、前記読取装置において読み取られた、前記広告印刷データ中の前記コードデータが示す内容を含むコード内容データを、利用履歴として前記読取装置から受信する第２受信ステップと、前記利用履歴を前記ユーザ識別情報に対応付けて利用履歴記憶部に書き込む利用履歴管理ステップとを含み、前記広告データ記憶部は、前記広告データに対応付けて、前記広告主を識別する広告主識別情報を記憶し、かつ同一の前記広告主識別情報に対応付けて前記特典の異なる複数の前記広告データを記憶し、前記広告データ特定ステップは、前記利用履歴に基づいて、所定の特典を含む前記広告データを特定し、前記送信ステップは、前記利用履歴に応じて前記特典の優待度を高くすることの提案を示す提案情報を前記広告主に送信し、前記広告管理サーバは、前記広告管理サーバの前記第１受信ステップが前記広告主から前記提案に対する了承を示す了承情報を受信した場合に、前記提案にかかる前記特典を含む前記広告データを前記広告データ記憶部に登録する広告データ管理ステップをさらに含むことを特徴とする。
【００１３】
また、本発明は、画像形成装置とネットワークを介して接続され、前記画像形成装置に提供する広告データを管理するコンピュータであって、前記ユーザが所定の店舗で受けることのできる特典を含む広告データを記憶する広告データ記憶部と、前記ユーザを識別するユーザ識別情報に対応付けて、前記ユーザに関するユーザデータを記憶するユーザデータ記憶部とを備える前記コンピュータを、前記画像形成装置から、当該画像形成装置を利用する利用ユーザを識別するユーザ識別情報を受信する受信部と、前記ユーザデータ記憶部において、前記受信部が受信した前記利用ユーザの前記ユーザ識別情報に対応付けられている、前記利用ユーザの前記ユーザデータに基づいて、前記広告データ記憶部に記憶されている前記広告データの中から、前記利用ユーザに提供すべき前記広告データを特定する広告データ特定部と、前記広告データ特定部により特定された前記広告データに含まれる特典を識別する特典識別情報と、前記ユーザ識別情報とを含むコードデータを作成するコードデータ作成部と、前記広告データ特定部により特定された前記広告データと、前記コードデータ作成部により作成された前記コードデータとを合成し、広告印刷データを作成する広告印刷データ作成部と、前記広告印刷データを前記画像形成装置に送信する送信部と、前記受信手段が、前記読取装置において読み取られた、前記広告印刷データ中の前記コードデータが示す内容を含むコード内容データを、利用履歴として前記読取装置から受信した場合に、前記利用履歴を前記ユーザ識別情報に対応付けて利用履歴記憶部に書き込む利用履歴管理部として機能させ、前記広告データ記憶部に、前記広告データに対応付けて、前記広告主を識別する広告主識別情報を記憶し、かつ同一の前記広告主識別情報に対応付けて前記特典の異なる複数の前記広告データを記憶し、前記広告データ特定部は、前記利用履歴に基づいて、所定の特典を含む前記広告データを特定し、前記送信部は、前記利用履歴に応じて前記特典の優待度を高くすることの提案を示す提案情報を前記広告主に送信し、前記受信部が前記広告主から前記提案に対する了承を示す了承情報を受信した場合に、前記提案にかかる前記特典を含む前記広告データを前記広告データ記憶部に登録する広告データ管理部をさらに機能させるためのプログラムである。
【発明の効果】
【００１４】
本発明によれば、より有効な情報をユーザに提供することができる広告管理システム、広告管理サーバ、広告管理方法およびプログラムを提供することを目的とする。
【図面の簡単な説明】
【００１５】
【図１】図１は、実施の形態にかかる広告管理システム１の全体構成を示す図である。
【図２】図２は、広告管理サーバ１０、画像形成装置２０、コードリーダ３０およびＰＣ４０の機能構成を示すブロック図である。
【図３】図３は、ユーザデータＤＢ１１０のデータ構成を模式的に示す図である。
【図４】図４は、広告データＤＢ１１１のデータ構成を模式的に示す図である。
【図５】図５は、利用履歴ＤＢ１１２のデータ構成を模式的に示す図である。
【図６】図６は、コードデータのデータ構成を示す図である。
【図７】図７は、広告印刷データのイメージ図である。
【図８】図８は、広告管理システム１において、広告データを紙媒体に印字する処理を示すシーケンス図である。
【図９】図９は、ユーザが、紙媒体の特典を受けた場合の広告管理システム１の処理を示すシーケンス図である。
【図１０】図１０は、第１の変更例にかかる広告管理システム１において、新たな特典を含む広告データを広告データＤＢ１１１に登録する際の処理を示すシーケンス図である。
【発明を実施するための形態】
【００１６】
以下に添付図面を参照して、広告管理システム、広告管理サーバ、広告管理方法およびプログラムの実施の形態を詳細に説明する。
【００１７】
図１は、実施の形態にかかる広告管理システム１の全体構成を示す図である。広告管理システム１は、広告管理サーバ１０と、画像形成装置２０と、コードリーダ３０と、ＰＣ４０とを備えている。広告管理サーバ１０、画像形成装置２０、コードリーダ３０およびＰＣ４０は、ネットワーク２を介して互いに通信を行うことができる。
【００１８】
広告管理サーバ１０は、ユーザに提供する広告データを記憶している。広告管理サーバ１０は、さらに、登録されたユーザに関するユーザデータを記憶している。広告管理サーバ１０は、ユーザデータを参照して、ユーザに適した広告データを特定し、これを画像形成装置２０に送信する。
【００１９】
画像形成装置２０は、例えばプリントサービス提供のため店舗内に設置される。画像形成装置２０は、ユーザからの指示にしたがい、ユーザが印刷を希望するデータに基づいて、画像を形成する。このとき、画像形成装置２０は、適宜原稿データとともに、広告管理サーバ１０から受信した広告印刷データの画像を形成する。広告印刷データには、広告データとコードデータとが含まれている。広告データは、所定の店舗に関する広告である。広告データにはさらに、ユーザが所定の店舗で受けることのできる特典を示す特典データが含まれている。
【００２０】
画像形成装置２０は、例えば、広告印刷データの印刷を行うことにより、プリントサービス等に発生する料金を割引、または無料とするサービスに用いられる。
【００２１】
なお、特典を利用可能な店舗は、画像形成装置２０が設置されている店舗と同一であってもよく、また別の店舗であってもよく、店舗の経営者が同一か否かも問わない。特典としては、例えば購入金額の５％オフなどがある。コードデータは、特典を識別する特典ＩＤやユーザを識別するユーザＩＤなどをコード化した情報である。
【００２２】
そして、ユーザが、この広告データの広告主の店舗において、広告データに含まれる特典を受けた場合には、店舗の店員は、コードリーダ３０を用いて、広告印刷データに含まれているコードデータを読み取る。コードリーダ３０はさらに、読み取られた内容であるコード内容データなどの利用履歴を広告管理サーバ１０に送信する。なお、画像形成装置２０およびコードリーダ３０は、同一店舗に設置されていてもよく、別の店舗に設置されていてもよい。
【００２３】
また、ＰＣ４０は、広告主が利用する端末である。ＰＣ４０は、広告管理サーバ１０から例えば利用履歴に応じて特典の優待度を高めることを提案する提案情報を受信し、これに対する応答を送信する。
【００２４】
図２は、広告管理サーバ１０、画像形成装置２０、コードリーダ３０およびＰＣ４０の機能構成を示すブロック図である。広告管理サーバ１０は、処理部１００と、ユーザデータデータベース（ＤＢ）１１０と、広告データＤＢ１１１と、利用履歴１１２とを有している。
【００２５】
図３は、ユーザデータＤＢ１１０のデータ構成を模式的に示す図である。ユーザデータＤＢ１１０は、ユーザを識別するユーザ識別情報（ＩＤ）に対応付けて、ユーザに関する情報であるユーザデータを記憶している。本実施の形態にかかるユーザデータは、ユーザの氏名、年齢、性別および住所を含んでいる。なお、ユーザデータは、実施の形態に限定されるものではなく、図３に示すユーザデータのうちの少なくとも１つを含めばよく、またこれ以外のユーザデータをさらに含んでいてもよい。
【００２６】
図４は、広告データＤＢ１１１のデータ構成を模式的に示す図である。広告データＤＢ１１１は、広告データを識別する広告データＩＤと、対象ユーザと、広告データと、特典ＩＤと、利用期限と、広告主ＩＤとを対応付けて記憶している。
【００２７】
ここで広告データＩＤは、広告データを識別する情報である。対象ユーザは、広告データを提供するのに適したユーザである。対象ユーザは、後述の処理部１００において、所定のユーザに提供すべき広告データを特定する際に参照される情報である。
【００２８】
特典ＩＤは、広告データに含まれる特典を識別する情報である。利用期限は、特典ＩＤにより識別される特典を受けることができる期限である。例えば、季節限定の特典を季節外れの時期に利用されると店舗に不都合が生じる場合がある。このような事態を避けるべく、利用期限を登録しておくことができる。広告主ＩＤは、広告主としての店舗を識別する情報である。なお、１つの広告主が複数の店舗を有する場合には、広告データＤＢ１１１は、広告主ＩＤと店舗ＩＤとをそれぞれ広告ＩＤに対応付けて記憶してもよい。
【００２９】
なお、ユーザデータＤＢ１１０に記憶されているユーザＩＤおよびユーザデータや、広告データ１１１に記憶されている広告データ等の情報は、予め各記憶部に登録されているものとする。また、これらの情報は、広告管理サーバ１０により適宜更新可能である。
【００３０】
図５は、利用履歴ＤＢ１１２のデータ構成を模式的に示す図である。利用履歴ＤＢ１１２においては、ユーザＩＤに対応付けて、利用履歴が記憶されている。利用履歴には、特典の利用日時、特典ＩＤおよび店舗ＩＤが含まれている。なお、利用日時は、ユーザが特典を受けた日時であり、特典ＩＤは、ユーザが受けた特典の特典ＩＤである。店舗ＩＤは、ユーザが特典を受けた店舗を識別する情報である。利用履歴ＤＢ１１２に記憶されている利用履歴は、ユーザが実際に特典を受ける度に、処理部１００によりユーザが受けた特典に対する利用履歴として利用履歴ＤＢ１１２に蓄積されていくものである。
【００３１】
図２に戻り、処理部１００は、通信部１０１と、広告データ特定部１０２と、コードデータ作成部１０３と、広告印刷データ作成部１０４と、利用履歴管理部１０５と、広告データ管理部１０６とを有している。
【００３２】
通信部１０１は、ネットワーク２を介して、他の装置と各種データを送受信する。通信部１０１は、例えば、画像形成装置２０から、画像形成装置２０を利用する利用ユーザのユーザＩＤを受信する。通信部１０１は、また例えばコードリーダ３０から利用履歴を受信する。
【００３３】
広告データ特定部１０２は、ユーザデータＤＢ１１０を参照し、通信部１０１が受信した利用ユーザのユーザＩＤに基づいて、利用ユーザのユーザデータを特定する。
【００３４】
広告データ特定部１０２は、利用履歴ＤＢ１１２において、利用ユーザのユーザＩＤに対応付けられている利用履歴を後述の利用履歴管理部１０５を介して取得する。広告データ特定部１０２は、利用ユーザのユーザデータおよび利用ユーザの利用履歴に基づいて、利用ユーザに提供すべき広告データを、広告データＤＢ１１１に記憶されている広告データの中から特定する。広告データ特定部１０２は、例えば、広告データに対応付けられている対象ユーザが利用ユーザに対応するか否かを判断することにより、利用ユーザに適した広告データを特定する。広告データ特定部１０２は、さらに利用履歴を参照し、利用回数の多い特典を含む広告データを優先的に特定する。
【００３５】
さらに、他の例としては、例えば優待度の高い特典など所定の特典の利用回数を制限してもよい。この場合には、広告データＤＢ１１１は、特典ＩＤに対応付けて、利用回数を記憶する。そして、広告データ特定部１０２は、利用履歴を参照し、すでに制限回数だけ利用されている特典を含む広告データを特定対象から除外し、これ以外の特典を含む広告データを特定することとしてもよい。
【００３６】
なお、本実施の形態にかかる広告データ特定部１０２は、広告データＤＢ１１１に記憶されている、対象ユーザと利用ユーザの照合により、広告データを特定したが、他の例としては、広告データ特定部１０２は、ユーザデータおよび利用履歴を参照しつつ、最適な広告データを決定するための所定のアルゴリズムにしたがって決定してもよい。いずれにしても、利用ユーザにとって最適な広告データを決定する処理には、従来技術を用いればよく、実施の形態に限定されるものではない。
【００３７】
コードデータ作成部１０３は、広告データＤＢ１１１を参照し、広告データ特定部１０２により特定された広告データに対応付けられている広告主ＩＤ、利用期限および特典ＩＤを抽出する。コードデータ作成部１０３は、抽出したこれらのデータと、通信部１０１が画像形成装置２０から受信した利用ユーザのユーザＩＤと、通信部１０１がユーザＩＤを受信した受信日時を示す情報とをコード化してコードデータを作成する。なお、コードデータは、既知のコードであっても良いし、独自のフォーマットのコードであってもよい。既知のコードとしては、例えばバーコードや、ＱＲコード（登録商標）などがある。
【００３８】
図６は、コードデータのデータ構成を示す図である。図６に示すように、コードデータは、ユーザＩＤ、広告主ＩＤと、受信日時と、利用期限と、特典ＩＤとを含んでいる。
【００３９】
なお、他の例としては、通信部１０１は、画像形成装置２０から、ユーザが印刷指示を入力した入力日時をさらに受信してもよい。そして、コードデータ作成部１０３は、受信日時に変えて入力日時を含むコードデータを作成してもよい。
【００４０】
図２に戻り、広告印刷データ作成部１０４は、広告データ特定部１０２により特定された広告データにコードデータ作成部１０３により作成されたコードデータを合成して広告印刷データを作成する。
【００４１】
図７は、広告印刷データのイメージ図である。図７に示す広告印刷データには、複数の広告データが含まれている。ＣＭＡの広告データ５１０には、広告データ５１０に関する広告主ＩＤ、利用期限、特典ＩＤが含まれたデータをコード化したコードデータ５１１が付与されている。ＣＭＢの広告データ５２０には、広告データ５２０に関する利用期限、特典ＩＤが含まれたデータをコード化したコードデータ５２１が付与されている。ＣＭＣの広告データ５３０には、広告データ５３０に関する利用期限、特典ＩＤが含まれたデータをコード化したコードデータ５３１が付与されている。
【００４２】
なお、広告データにおける、コードデータを付与する位置については、広告印刷データ作成部１０４が、広告データを解析し、ユーザに提示すべき広告内容と重ならない位置など、適切な位置にコードデータを付与するように決定する。
【００４３】
また、他の例としては、広告データ１１１において、コードデータを付与すべき位置が広告ＩＤに対応付けて登録されていてもよい。この場合には、広告印刷データ作成部１０４は、登録されている位置にコードデータを付与すればよい。
【００４４】
なお、図７においては、複数の広告データを含む広告印刷データを示したが、広告印刷データが含む広告データの数は任意であり、他の例としては、広告印刷データは１つの広告データのみを含んでもよい。
【００４５】
図２に戻り、利用履歴管理部１０５は、通信部１０１がコードリーダ３０から利用履歴を受信すると、この利用履歴を利用履歴ＤＢ１１２に蓄積する。なお、通信部１０１が受信する利用履歴には、ユーザＩＤ、利用日時、特典ＩＤおよび店舗ＩＤが含まれている。ここで、利用日時は、特典が利用された日時である。利用履歴管理部１０５はまた、利用履歴ＤＢ１１２を参照し、通信部１０１が受信したユーザＩＤに対応付けられている利用履歴を特定する。
【００４６】
広告データ管理部１０６は、広告データＤＢ１１１に記憶されている広告データを管理する。広告データ管理部１０６は、通信部１０１を介して広告主のＰＣ４０とデータの送受信を行うことにより、優待度の異なる特典を含む広告データを新たに広告データＤＢ１１１に登録する。
【００４７】
画像形成装置２０は、通信部２０１と、入力受付部２０２と、画像形成部２０３とを有している。通信部２０１は、広告管理サーバ１０と各種情報を送受信する。入力受付部２０２は、ユーザから入力された情報を受け付ける。画像形成部２０３は、ユーザにより指定されたデータの画像形成を行う。
【００４８】
コードリーダ３０は、通信部３０１と、読取部３０２とを有している。通信部３０１は、広告管理サーバ１０と各種情報を送受信する。読取部３０２は、コードデータを読み取り、コードデータが示すコード内容データを得る。
【００４９】
なお、他の例としては、通信部３０１と読取部３０２は異なる装置であってもよい。この場合には、読取部３０２により得られたコード内容データは、例えば有線のＬＡＮ（Ｌｏｃａｌ  Ａｒｅａ  Ｎｅｔｗｏｒｋ）などのネットワークを介して通信部３０１を備える装置に送信されてもよい。
【００５０】
ＰＣ４０は、通信部４０１と、入力受付部４０２とを有している。通信部４０１は、広告管理サーバ１０と各種情報を送受信する。入力受付部４０２は、ユーザから入力された情報を受け付ける。
【００５１】
図８は、広告管理システム１において、広告データを紙媒体に印字する処理を示すシーケンス図である。画像形成装置２０において、入力受付部２０２が、ユーザから所定のデータの画像形成指示を受け付けると、画像形成装置２０においては、利用ユーザからのユーザＩＤの入力を促す。そして、入力受付部２０２が、ユーザＩＤを受け付けると（ステップＳ１００）、通信部２０１は、利用ユーザにより入力されたユーザＩＤを広告管理サーバ１０に送信する（ステップＳ１０１）。
【００５２】
広告管理サーバ１０においては、通信部１０１が利用ユーザのユーザＩＤを受信すると、広告データ特定部１０２は、まずユーザデータＤＢ１１０を参照し、利用ユーザのユーザＩＤに対応付けられている、ユーザデータを特定する（ステップＳ１０２）。次に、利用履歴管理部１０５は、利用履歴ＤＢ１１２において、利用ユーザのユーザＩＤに対応付けられている利用履歴を特定する（ステップＳ１０３）。
【００５３】
次に、広告データ特定部１０２は、利用ユーザのユーザデータと、利用履歴管理部１０５により特定された、利用ユーザの利用履歴とに基づいて、広告データＤＢ１１１に記憶されている広告データの中から、利用ユーザに提供すべき広告データを特定する（ステップＳ１０４）。
【００５４】
次に、コードデータ作成部１０３は、広告データ特定部１０２により特定された広告データに関連する広告主ＩＤ、利用期限、特典ＩＤと、利用ユーザのユーザＩＤを通信部１０１が受信した受信日時と、利用ユーザのユーザＩＤとをコード化することにより、コードデータを作成する（ステップＳ１０５）。
【００５５】
次に、広告印刷データ作成部１０４は、広告データ特定部１０２により特定された広告データと、コードデータ作成部１０３により作成されたコードデータとを合成することにより、広告印刷データを作成する（ステップＳ１０６）。
【００５６】
次に、通信部１０１は、広告印刷データ作成部１０４により作成された広告印刷データを画像形成装置２０に送信する（ステップＳ１０７）。
【００５７】
画像形成装置２０においては、通信部２０１が広告印刷データを受信すると（ステップＳ１０７）、ユーザにより指定されたデータと、広告印刷データに基づいて、画像形成処理を行う（ステップＳ１０８）。以上で処理が完了し、ユーザは、広告印刷データが印字された紙媒体を得ることができる。ユーザは、この紙媒体を用いて、広告印刷データに含まれる特典を受けることができる。さらに、広告印刷データ中のコードデータには、ユーザＩＤが含まれている。そこで、広告印刷データが印字された紙媒体を落としてしまった場合など、第三者による不正使用を防ぐ目的で、特典の利用時には、ユーザＩＤと、ユーザが所持する店舗のポイントカード等により本人認証を行うことも可能である。
【００５８】
図９は、ユーザが、紙媒体の特典を受けた場合の広告管理システム１の処理を示すシーケンス図である。ユーザが特典を受けた場合には、ユーザの応対をする店舗の店員は、コードリーダ３０を用いてコードデータを読み取る。すなわち、コードリーダ３０の読取部３０２は、コードデータを読み取り、コード内容データを得る（ステップＳ１２０）。次に、通信部３０１は、コード内容データに含まれるユーザＩＤおよび特典ＩＤと、コードリーダ３０が設置された店舗を識別する店舗ＩＤと、ユーザが特典を受けた日時である利用日時とを含む利用履歴を広告管理サーバ１０に送信する（ステップＳ１２１）。
【００５９】
広告管理サーバ１０の通信部１０１が利用履歴を受信すると、利用履歴管理部１０５は、通信部１０１が受信した利用履歴を利用履歴ＤＢ１１２に蓄積する（ステップＳ１２２）。以上で処理が完了する。
【００６０】
このように、ユーザが紙媒体に印字された特典を利用した場合には、利用された特典に関する利用履歴が自動的に利用履歴ＤＢ１１２に蓄積される。そして、広告管理サーバ１０は、次回このユーザに対して提供する広告データを特定する際には、最新の利用履歴ＤＢ１１２に蓄積された利用履歴に応じて、適切な広告データを特定することができる。
【００６１】
すなわち、本実施の形態にかかる広告管理システム１においては、ユーザが紙媒体に印字された特典を利用した場合であっても、この利用履歴を、広告配信元にフィードバックさせることができ、これにより、より有効な広告などの情報をユーザに提供することができる。
【００６２】
また、広告管理システム１の第１の変更例としては、広告管理システム１の広告データＤＢ１１２は、同一の広告主から提供されたものであり、かつ優待の程度の異なる特典を含む複数の広告データを記憶していてもよい。ここでは、説明の便宜上、広告データＤＢ１１２に同一広告主から提供された、優待度の低い第１特典を含む第１広告データと、第１特典に比べて優待度の高い第２特典含む第２広告データとが記憶されているものとする。この場合には、広告データＤＢ１１２において、優待度の高い第２特典を含む第２広告データの対象ユーザには、利用履歴において、この広告主における特典の利用回数が閾値以上であるなど、利用履歴に応じた条件が登録されていることとする。
【００６３】
そして、広告データ特定部１０２は、利用履歴を参照し、利用ユーザが優待度の高い特典に対応する対象ユーザに合致する場合には、優待度の高い第２特典を含む第２広告データが特定され、利用ユーザに提供される。
【００６４】
図１０は、第１の変更例にかかる広告管理システム１において、新たな特典を含む広告データを広告データＤＢ１１１に登録する際の処理を示すシーケンス図である。広告管理サーバ１０の広告データ管理部１０６は、通信部１０１を介して、広告主のＰＣ４０に対し、広告データＤＢ１１１に登録されている当該広告主の広告データに含まれる特典よりも優待度の高い特典を含んだ広告データをユーザに提供することを提案する提案情報である特典拡充案をＰＣ４０に送信する（ステップＳ２００）。ＰＣ４０の通信部４０１が特典拡充案を受信し、ＰＣ４０の入力受付部４０２が、ユーザによりこの特典拡充案に示される提案を了承する旨の入力を受け付けると、通信部４０１は、了承を広告管理サーバ１０に送信する（ステップＳ２０１）。
【００６５】
広告管理サーバ１０の通信部１０１が了承を受信すると、広告データ管理部１０６は、了承された提案に示される特典を含む広告データを広告データＤＢ１１１に新たに登録する（ステップＳ２０２）。以上で処理が完了する。
【００６６】
このように、店舗の手を煩わせることなく広告管理サーバ側で、店舗が了承する範囲で特典の拡充を図ることができるので、特典を受けるユーザに対しより大きい利益をもたらすことができ、かつ店舗側に対しても、ユーザによる店舗の利用を促進することにより店舗の利益を高めることができる。
【００６７】
また、第２の変更例としては、実施の形態にかかる広告管理システム１においては、コードデータ作成部および広告印刷データ作成部は、広告管理サーバ１０が有していたが、これに替えて、画像形成装置がコードデータ作成部および広告印刷データ作成部を有することとしてもよい。この場合には、広告管理サーバ１０は、広告データ特定部１０２により特定された広告データを画像形成装置２０に送信すればよい。
【００６８】
また、第３の変更例としては、広告管理サーバ１０が備える利用履歴ＤＢ１１２は、広告管理サーバ１０と異なる他の装置が備え、利用履歴ＤＢ１１２の管理は、当該他の装置が行うこととしてもよい。
【００６９】
また、第４の変更例としては、コードデータ作成部１０３により作成されるコードデータに含めるべきデータおよびコードリーダから利用履歴として広告管理サーバ１０に送信されるデータの内容は、実施の形態に限定されるものではなく、任意に設定することができる。
【００７０】
なお、本実施の形態の広告管理サーバ１０は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【００７１】
本実施形態の広告管理サーバ１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００７２】
また、本実施形態の広告管理サーバ１０で実行されるプログラムを、インターネット等のネットワークに接続されたコンピュータ上に格納し、ネットワーク経由でダウンロードさせることにより提供するように構成しても良い。また、本実施形態の広告管理サーバ１０で実行されるプログラムをインターネット等のネットワーク経由で提供または配布するように構成しても良い。また、本実施形態のプログラムを、ＲＯＭ等に予め組み込んで提供するように構成してもよい。
【００７３】
本実施の形態の広告管理サーバ１０で実行されるプログラムは、上述した各部（通信部、ユーザデータ特定部、広告データ特定部、コードデータ作成部、広告印刷データ作成部、利用履歴管理部、広告データ管理部）を含むモジュール構成となっており、実際のハードウェアとしてはＣＰＵ（プロセッサ）が上記記憶媒体からプログラムを読み出して実行することにより上記各部が主記憶装置上にロードされ、各部が主記憶装置上に生成されるようになっている。
【符号の説明】
【００７４】
１  広告管理システム
１０  広告管理サーバ
２０  画像形成装置
３０  コードリーダ
４０  ＰＣ
１００  処理部
１０１  通信部
１０２  広告データ特定部
１０３  コードデータ作成部
１０４  広告印刷データ作成部
１０５  利用履歴管理部
１０６  広告データ管理部
１１０  ユーザデータＤＢ
１１１  広告データＤＢ
１１２  利用履歴ＤＢ
【先行技術文献】
【特許文献】
【００７５】
【特許文献１】特開２００１−１３４６５０号公報
【特許文献２】特許第３５３９６２９号公報
【図１】
0006019712.tif 000002
【図２】
0006019712.tif 000003
【図３】
0006019712.tif 000004
【図４】
0006019712.tif 000005
【図５】
0006019712.tif 000006
【図６】
0006019712.tif 000007
【図７】
0006019712.tif 000008
【図８】
0006019712.tif 000009
【図９】
0006019712.tif 000010
【図１０】
0006019712.tif 000011